(57)【要約】【課題】好ましい放熱効果が得られ、組み立てが容易で、低コストのフィンの連結構造を提供する。【解決手段】それぞれが間隔をおいて平行に直立し、且つ少なくとも一以上の側端に該側端と水平になる少なくとも一以上の拘止部を形成する複数のフィンと、長条片状を呈し、該フィンの拘止部に対応する位置に、該拘止部に連結する少なくとも一以上の連結部を形成する、少なくとも一以上の連結プレートとによってなり、該連結プレートを、該フィンに直交する方向に設けてそれぞれのフィンを連結し、且つそれぞれのフィンが間隔をおいて平行になるよう固定する。【選択図】図１
0003117925.tif 000002
【実用新案登録請求の範囲】
【請求項１】
それぞれが間隔をおいて平行に直立し、且つ少なくとも一以上の側端に該側端と水平になる少なくとも一以上の拘止部を形成する複数のフィンと、
長条片状を呈し、該フィンの拘止部に対応する位置に、該拘止部に連結する少なくとも一以上の連結部を形成する、少なくとも一以上の連結プレートとによってなり、
該連結プレートを、該フィンに直交する方向に設けてそれぞれのフィンを連結し、且つそれぞれのフィンが間隔をおいて平行になるよう固定することを特徴とするフィンの連結構造。
【請求項２】
前記拘止部が、凹溝と、該凹溝内の両側壁に近い位置に、外方向に延伸して形成されるピンとを含むことを特徴とする請求項１に記載のフィンの連結構造。
【請求項３】
前記拘止部が、凹溝と、該凹溝内に、外方向に延伸して形成される少なくとも一以上のブロック部とを含むことを特徴とする請求項１に記載のフィンの連結構造。
【請求項４】
前記連結部が、該連結プレートの側端から切り欠いて形成する、少なくとも一以上の凹状部であることを特徴とする請求項１に記載のフィンの連結構造。
【請求項５】
前記連結部が、該連結プレートの側端から切り欠いて形成する、少なくとも一以上の凹状部であることを特徴とする請求項２に記載のフィンの連結構造。
【請求項６】
前記連結部が、該連結プレートに穿設される少なくとも一以上の貫通孔であって、且つ該貫通孔と該連結プレートの両側端との間にピッチが存在することを特徴とする請求項１に記載のフィンの連結構造。
【請求項７】
前記連結部が、該連結プレートに穿設される少なくとも一以上の貫通孔であって、且つ該貫通孔と該連結プレートの両側端との間にピッチが存在することを特徴とする請求項３に記載のフィンの連結構造。
【請求項８】
前記複数のフィンの一方の端縁部が、ベースに接続することを特徴とする請求項１に記載のフィンの連結構造。
【請求項９】
前記連結プレートに少なくとも一以上の通気孔を穿設し、且つ該通気孔が隣り合う両フィンの間に対応する位置に穿設されることを特徴とする請求項１に記載のフィンの連結構造。
【請求項１０】
前記拘止部と該連結部に接着剤を塗布することを特徴とする請求項１に記載のフィンの連結構造。
【考案の詳細な説明】
【技術分野】
【０００１】
この考案は放熱器に関し、特に放熱器を構成する複数のフィンの連結構造に関する。
【背景技術】
【０００２】
目下、高熱を発する電子部品（ＣＰＵ等）は、効率よく放熱して正常な作動温度を維持するために、通常、放熱器を設けて放熱効果を高めるようにしている。放熱器にはアルミ押出し成形、及び金型でプレスしたものがある。但し、いずれにしても放熱面積に限りがあるため、異なる電子部品の発熱温度に従って、放熱面積を調整することができない。そこで、熱伝導効率の高い薄いプレート（例えば金属等）を予め成形し、更に間隔をあけて該プレートを平行に排列し、放熱器の放熱面積を調整する方法が開発された。
【０００３】
台湾実用新案公告第Ｍ２４５５０１号には、組み立て式のフィンを有する放熱器が開示される。該放熱器は、ベースと、該ベースの表面に直立し、平行に並べられる複数のフィンと、二つの係合部材とによってなる。それぞれのフィンの一方の端縁部を折り曲げて延伸させ、長い折り返し部とする。この長い折り返し部は、該ベース表面に貼着する。他方の端縁部は両側に近づくようにそれぞれ折り曲げ延伸させて短い折り返し部とする。本体の該短い折り返し部に対応する適宜な位置に貫通孔を穿設する。
【０００４】
該係合部材は、両端がそれぞれ垂直に折り曲げられ、他方に延伸して制動プレートを形成する。該制動プレートの内側にはそれぞれ凸点を形成する。また、該係合部材は、一方の側面が垂直に折り曲げられ、下方に延伸して複数の凸プレートを形成する。これら凸プレートを隣り合うフィンの隙間に挿入し、該凸点とフィンの貫通孔に嵌着する。
【０００５】
上述する放熱器はフィンの間の空間を流体の流動に供し、流体が流動することによってフィンから伝えられる熱を運び、放熱効果を高めるようにする。しかしながら隣り合うフィンの間に複数の凸プレートを挿入するため、フィンの間の空間が塞がれ、フィンの間の流体の流動に影響を与える。このため、流体が空間の両側から外方向に流出することが難しくなる。更には該係合部材の構造は複雑で、多くの部材によって形成するため、製造コストが高くなる。
【特許文献１】台湾実用新案公告第Ｍ２４５５０１号公報
【考案の開示】
【考案が解決しようとする課題】
【０００６】
そこでこの考案は、複数のフィンを所定の間隔で平行に排列した放熱器であって、これらフィンを固定する係合部材がフィンの間の空間における気体の流動に影響を与えることのないフィンの連結構造を提供することを課題とする。
【０００７】
またこの考案は、構造が簡単で組み立てに便利であって、且つ製造コストの低いフィンの連結構造を提供することを課題とする。
【課題を解決するための手段】
【０００８】
そこで、本考案者は従来の技術に見られる欠点に鑑み鋭意研究を重ねた結果、それぞれが間隔をおいて平行に直立し、且つ少なくとも一以上の側端に該側端と水平になる少なくとも一以上の拘止部を形成する複数のフィンと、長条片状を呈し、該フィンの拘止部に対応する位置に、該拘止部に連結する少なくとも一以上の連結部を形成する、少なくとも一以上の連結プレートとによってなり、該連結プレートを、該フィンに直交する方向に設けてそれぞれのフィンを連結し、且つそれぞれのフィンが間隔をおいて平行になるよう固定するフィンの連結構造によって課題を解決できる点に着眼し、かかる知見に基づいて本発明を完成させた。
【０００９】
以下、この考案について具体的に説明する。
請求項１に記載するフィンの連結構造は、それぞれが間隔をおいて平行に直立し、且つ少なくとも一以上の側端に該側端と水平になる少なくとも一以上の拘止部を形成する複数のフィンと、長条片状を呈し、該フィンの拘止部に対応する位置に、該拘止部に連結する少なくとも一以上の連結部を形成する、少なくとも一以上の連結プレートとによってなり、該連結プレートを、該フィンに直交する方向に設けてそれぞれのフィンを連結し、且つそれぞれのフィンが間隔をおいて平行になるよう固定する。
【００１０】
請求項２に記載するフィンの連結構造は、請求項１における拘止部が、凹溝と、該凹溝内の両側壁に近い位置に、外方向に延伸して形成されるピンとを含む。
【００１１】
請求項３に記載するフィンの連結構造は、請求項１における拘止部が、凹溝と、該凹溝内に、外方向に延伸して形成される少なくとも一以上のブロック部とを含む。
【００１２】
請求項４に記載するフィンの連結構造は、請求項１における連結部が、該連結プレートの側端から切り欠いて形成する、少なくとも一以上の凹状部である。
【００１３】
請求項５に記載するフィンの連結構造は、請求項２における連結部が、該連結プレートの側端から切り欠いて形成する、少なくとも一以上の凹状部である。
【００１４】
請求項６に記載するフィンの連結構造は、請求項１における連結部が、該連結プレートに穿設される少なくとも一以上の貫通孔であって、且つ該貫通孔と該連結プレートの両側端との間にピッチが存在する。
【００１５】
請求項７に記載するフィンの連結構造は、請求項３における連結部が、該連結プレートに穿設される少なくとも一以上の貫通孔であって、且つ該貫通孔と該連結プレートの両側端との間にピッチが存在する。
【００１６】
請求項８に記載するフィンの連結構造は、請求項１における複数のフィンの一方の端縁部が、ベースに接続する。
【００１７】
請求項９に記載するフィンの連結構造は、請求項１における連結プレートに少なくとも一以上の通気孔を穿設し、且つ該通気孔が隣り合う両フィンの間に対応する位置に穿設される。
【００１８】
請求項１０に記載するフィンの連結構造は、請求項１０における拘止部と該連結部に接着剤を塗布する。
【考案の効果】
【００１９】
本考案のフィンの連結構造は、フィンが伝える熱を効率よく放出することができるとともに、構造が簡単で組み立てが容易であるため、生産の効率を高め、且つ製造コストを低減させるとう利点を有する。
【考案を実施するための最良の形態】
【００２０】
この考案は、放熱器を構成するフィンの連結構造を提供するものであって、それぞれが間隔をおいて平行に直立し、且つ少なくとも一以上の側端に該側端と水平になる少なくとも一以上の拘止部を形成する複数のフィンと、長条片状を呈し、該フィンの拘止部に対応する位置に、該拘止部に連結する少なくとも一以上の連結部を形成する、少なくとも一以上の連結プレートとによってなり、該連結プレートを、該フィンに直交する方向に設けてそれぞれのフィンを連結し、且つそれぞれのフィンが間隔をおいて平行になるよう固定して、好ましい放熱効果を達成するとともに、簡易な構造で組み立てを容易にするという目的を、実現した。
係る構成のヘッドフォンについて、その構造と特徴を詳述するために具体的な実施例を挙げ、以下に説明する。
【実施例】
【００２１】
この考案による放熱器は、図１、２に開示するように、複数のフィン１０と、少なくとも一以上の連結プレート２０とを含む。複数のフィン１０は、間隔を置いて平行に排列され、直立した状態に設ける。それぞれのフィン１０の側端には少なくとも一以上の拘止部１１を形成する。実施例においては、それぞれのフィンの長手方向の両側端の対向する位置にそれぞれ拘止部１１を形成する。拘止部１１は、凹溝１１１を形成し、該凹溝１１１内に、両側壁に近い位置に、外方向に延伸し、且つフィン１０の側端と同じ高さのピン１１２をそれぞれ形成する。
【００２２】
連結プレート２０は長条片状を呈する。実施例においては、連結プレート２０を４つ設け、それぞれフィン１０の両側端に形成した拘止部１１の凹溝１１１に嵌着する。また、連結プレート２０には、拘止部１１の凹溝１１１に対応する位置に連結部２１を少なくとも一以上形成する。実施例において、連結部２１は両側端から切り欠き、２つの凹状部を形成してなる。
【００２３】
少なくとも一以上の連結プレート２０をフィン１０の両側端の拘止部１１に形成した凹溝１１１に嵌着し、凹溝１１内の両側壁に近い位置に形成したピン１１２を連結プレート２０の凹状部（即ち、連結部２１）に向かって折り曲げて、連結プレート２０を拘止する。即ち、連結プレート２０は、フィン１０に直交する方向に設けられ、それぞれのフィン１０に接続する。それぞれのフィン１０の拘止部１１と連結プレート２０の連結部２１とを接触させて拘止することによって、それぞれのフィン１０は、連結プレート２０によって支持されて直立し、且つそれぞれのフィン１０が平行して排列され、且つ隣り合うフィン１０の間に間隔を置いて固定される。
【００２４】
また、他の形態として、図３、４に開示するように、直立したフィン１０の左右両側端に拘止部１１を形成し、同様に連結プレート２０のそれぞれのフィン１０の拘止部１１とを接続して固定しても同様の効果が得られる。
【００２５】
図５、６に開示するように、上述する２種類のフィン連結形態は、それぞれ基板３０に連結する。この場合、基板３０上に粘着するか、もしくは基板３０上に取りつけ溝（図示しない）を形成し、複数のフィン１０を嵌着してもよい。
【００２６】
図７、８に開示するように、上述する第１の形態の拘止部１１はそれぞれのフィン１０の上端縁部にのみ形成して連結プレート２０の連結部２１と、拘止部１１とを接続し、それぞれのフィン１０の下端縁部は基盤３０に連結する。係る構造によっても同様の効果が得られる。
【００２７】
また、図９、１０に開示するように、連結プレート４０の連結部４１は、上述するように切り欠いて凹状部を形成する以外に、図示するように、少なくとも一以上の貫通孔を穿設してもよい。貫通孔と連結プレート４０の両側端との間には、ピッチ４１１が存在する。連結部４１を拘止部１１に設けた場合、拘止部１１のピン１１２が貫通孔（即ち、連結部４１）を貫通し、係合部材２０のピッチ４１１上に折り曲げられ、連結プレート４０を拘止する。
【００２８】
また、図１１、１２に開示するように、連結プレート４０の連結部４１が貫通孔を形成する形態とした場合、拘止部１１のピン１１２を連結部４１の貫通孔の形状に合わせたブロック部４１２としてもよい。この場合、ブロック部４１２が貫通孔（即ち連結部４１）を貫通した後、折り曲げられて連結プレートを拘止する。
【００２９】
また、図１３、１４に開示する連結プレート２０、４０は、隣り合うフィン１０の間に対応する位置に、少なくとも一以上の通気孔２２、４２を形成する。よって、気体が通気孔２２、４２から隣り合うフィン１０の間に進出、入し、気流が更に順調に流動する。
【００３０】
更に、上述する拘止部１１と連結部２１、４１とを連結する箇所に接着剤を塗布し、両者が更に堅剛に連結するようにしてもよい。
【００３１】
上述するように、この考案は従来の技術における欠点を改善するものであって、複数のフィン１０と、フィン１０と分離した係合部材２０、４０とによってなり、連結プレート２０、４０で複数のフィン１０を連結する。複数のフィン１０は、それぞれ間隔を置いて平行に排列して固定する。連結プレート２０、４０の構造は簡単であって、複数のフィン１０の連結が容易である。このため、放熱器の組み立てが便利で、生産率を高めることができる。しかも、従来の技術に見られるように、プレート状で横方向の梁となる複数の凸プレートを隣り合うフィンの間に挿入することによって、気体の通路を塞ぎ、フィンの間の流体の流動に影響を与えるという欠点を改善した。即ち、本考案の連結プレート２０、４０は、隣り合うフィン１０の間に挿入しないため、流動する流体に影響を与えることがなく、流体が外方向に向かって順調に流動する。また、連結プレート２０、４０には隣り合う両フィン１０の間に対応する位置に通気孔を形成することによって、気体が更に順調に進出、入し、フィンが伝導する熱を外部に放出する放熱の効率を更に高めることができる。
【００３２】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３３】
【図１】この考案によるフィンの連結構造の分解図である。
【図２】図１に開示するフィンを組み立てた状態を示した斜視図である。
【図３】他の実施形態によるフィンの連結構造の分解図である。
【図４】図３に開示するフィンを組み立てた状態を示した斜視図である。
【図５】この考案によるフィンの連結構造を基板上に設けた状態を示した斜視図である。
【図６】他の実施形態によるフィンの連結構造を基板上に設けた状態を示した斜視図である。
【図７】この考案によるフィンの連結構造を基板上に設けた他の形態を示した説明図である。
【図８】この考案によるフィンの連結構造を基板上に設けた状態を示した斜視図と、拘止部において連結プレートを拘止した状態を示した局部拡大図である。
【図９】この考案の拘止部において連結プレートを拘止する、他の形態を示した局部拡大図である。
【図１０】図９に開示する形態において連結プレートを拘止した状態を示した局部拡大図である。
【図１１】この考案の拘止部において連結プレートを拘止する、その他形態を示した局部拡大図である。
【図１２】この考案の拘止部において連結プレートを拘止する、別の形態を示した局部拡大図である。
【図１３】通気孔を穿設した連結プレートの一部を示した斜視図である。
【図１４】通気孔を穿設した他の連結プレートの一部を示した斜視図である。
【符号の説明】
【００３４】
１０                  フィン
１１                  拘止部
１１１                凹溝
１１２                ピン
２０                  連結プレート
２１                  連結部
２２                  通気孔
３０                  基板
４０                  連結プレート
４１                  連結部
４１１                ピッチ
４１２                ブロック部
４２                  通気孔
【図１】
0003117925.tif 000003
【図２】
0003117925.tif 000004
【図３】
0003117925.tif 000005
【図４】
0003117925.tif 000006
【図５】
0003117925.tif 000007
【図６】
0003117925.tif 000008
【図７】
0003117925.tif 000009
【図８】
0003117925.tif 000010
【図９】
0003117925.tif 000011
【図１０】
0003117925.tif 000012
【図１１】
0003117925.tif 000013
【図１２】
0003117925.tif 000014
【図１３】
0003117925.tif 000015
【図１４】
0003117925.tif 000016